(57)【要約】【課題】複数のＡＶストリームを送信するストリーム送信装置に関し、ＴＳパケットに付加されるＩＰアドレスは固定的に一つしかない為、例えば一つのＤＶＲから、複数の受信装置に対し、ＬＡＮを介して個別のＡＶストリームを送信することができない。【解決手段】パケット通信網に接続されるパケット通信インターフェースと、パケットのプロトコル処理を行うデバイスと接続されるホストインターフェースと、映像処理を行うデバイスと接続されるストリームインターフェースを備え、ストリーム送信手段は少なくとも一つの付加用パケットパターン及び対応する識別情報を格納し、ストリームインターフェースから映像パケットが入力された場合、映像パケットに含まれる識別情報を参照し、格納された識別情報に対応する付加用パケットパターンを映像パケットに付加することでＩＰパケットを生成し、パケット通信インターフェースを介してＩＰパケットを出力する。【選択図】図３
2009296027.tif 000002
【特許請求の範囲】
【請求項１】
パケット通信網を介してパケット通信を行うストリーム送信装置であって、
前記パケット通信網に送信する通信パケットに格納する映像および/または音声ストリームパケットであるＡＶストリームパケットを出力する映像処理部と、
前記映像処理部から入力されたＡＶストリームパケットを格納した通信パケットを生成し、前記パケット通信網に送信するストリーム送信部とを備え、
前記ストリーム送信部は、
少なくとも一つの、ＡＶストリームパケットの識別情報と対応する通信パケットのパケットヘッダ情報の組み合わせからなる組み合わせ情報、を格納するテーブルを備え、
前記映像処理部から入力したＡＶストリームパケットの識別情報が前記テーブルに格納された組み合わせ情報のＡＶストリームパケットの識別情報と合致する場合には、対応した通信パケットのパケットヘッダ情報を前記入力されたＡＶストリームパケットに付加することで通信パケットを生成して前記パケット通信網に送信し、一方、前記映像処理部から入力したＡＶストリームパケットの識別情報が前記テーブルに格納された組み合わせ情報のＡＶストリームパケットの識別情報と合致しない場合には前記ＡＶストリームパケットを破棄するように動作する、
ことを特徴とするストリーム送信装置。
【請求項２】
前記ストリーム送信部は、
ホストバスインターフェースと、パケット通信部と、ＡＶバスインターフェース部と、通信パケットヘッダヘッダ付加部と、送信バッファ部と、制御部と、ＡＶストリーム解析部を備え、
前記パケット通信部は前記パケット通信網とのインターフェースを備え、前記ホストバスインターフェース部及び前記通信パケットヘッダヘッダ付加部から入力される通信パケットを前記パケット通信網に送信し、前記パケット通信網から受信した通信パケットを前記ホストバスインターフェース部に出力するものであり、
前記ＡＶバスインターフェース部は前記映像処理部から入力されたＡＶストリームパケットを前記送信バッファ部および前記ＡＶストリーム解析部に転送するものであり、
前記ＡＶストリーム解析部は前記ＡＶバスインターフェース部から入力されたＡＶストリームパケットを解析し、識別情報を抽出して前記制御部に出力するものであり、
前記送信バッファ部は前記ＡＶバスインターフェース部から入力されたＡＶストリームパケットを格納し、前記制御部からの出力指示に基づいて格納したＡＶストリームパケットを通信パケットヘッダヘッダ付加部に出力するものであり、
前記制御部は、少なくとも一つの、ＡＶストリームパケットの識別情報と対応する通信パケットのパケットヘッダ情報の組み合わせからなる組み合わせ情報を格納する前記テーブルを備え、前記ＡＶストリーム解析部から入力された識別情報が前記組み合わせ情報のＡＶストリームパケットの識別情報と合致する場合には、対応したパケットヘッダ情報を前記通信パケットヘッダヘッダ付加部に出力するとともに前記送信バッファ部に対して出力指示を行い、一方、前記ＡＶストリーム解析部から入力された識別情報が前記組み合わせ情報のＡＶストリームパケットの識別情報と合致しない場合には前記送信バッファ部に格納されたＡＶストリームパケットを破棄するものであり、
前記通信パケットヘッダ付加部は前記制御部から入力されたパケットヘッダ情報を、前記送信バッファ部から入力されたＡＶストリームパケットに対し付加した通信パケットを生成して前記パケット通信手部に出力するものである、
ことを特徴とする請求項１に記載のストリーム送信装置。
【請求項３】
前記ストリーム送信部は、識別情報格納部を更に備え、
前記ＡＶストリーム解析部は識別情報を前記制御部に加えて前記識別情報格納部に出力し、
前記識別情報格納部は、前記ＡＶストリーム解析部から入力される識別情報を格納し、一つ前に入力された識別情報と新しく入力された識別情報を比較し、同一である場合には一致フラグを前記制御部に出力し、異なる場合には不一致フラグを前記制御部に出力し、
前記制御部は、少なくとも一つの、ＡＶストリームパケットの識別情報と対応したパケットヘッダ情報の組み合わせ情報を格納し、前記ＡＶストリーム解析手段から入力された識別情報が、前記組み合わせ情報のＡＶストリームパケットの識別情報と合致した際に、前記識別情報格納部からのフラグを参照し、一致フラグであった場合には、前記送信バッファ部に対し、出力指示を行わず引き続き格納するように制御し、一方不一致フラグであった場合には、対応したパケットヘッダ情報を前記通信パケットヘッダヘッダ付加部に出力し、前記送信バッファ部に対し出力指示を行う、
ことを特徴とする請求項２に記載のストリーム送信装置。
【請求項４】
ＡＶストリームパケットはＭＰＥＧ２−ＴＳパケットであることを特徴とする請求項１から３にいずれかに記載のストリーム送信装置。
【請求項５】
ＡＶストリームパケットの識別情報がＭＰＥＧ２−ＴＳパケットのＰＩＤであることを特徴とする請求項１から３のいずれかに記載のストリーム送信装置。
【請求項６】
前記通信パケットヘッダ付加部がＡＶストリームパケットに付加する情報は、ＩＰヘッダ及びＵＤＰヘッダであることを特徴とする請求項１から３のいずれかに記載のストリーム送信装置。
【請求項７】
前記パケット通信網で送受信される通信パケットは、ＩＰパケットであることを特徴とする請求項１から３のいずれかに記載のストリーム送信装置。
【発明の詳細な説明】
【技術分野】
【０００１】
本発明は、パケット通信網を介してＡＶストリームを送信する装置に関するものである。
【背景技術】
【０００２】
近年、インターネット網等のパケット通信網が広帯域化されるにより、蓄積されたＡＶストリームをＬＡＮ（Ｌｏｃａｌ  Ａｒｅａ  Ｎｅｔｗｏｒｋ）のようなパケット通信網を経由して他の受信装置に送信／視聴するサービスが拡大している。ＡＶストリームを送信するための送信装置として、従来はパーソナルコンピュータ（以下、ＰＣと称す）のような高速のＣＰＵを搭載した送信装置が主体であったが、最近ではインターネット接続機能を搭載した家電製品が普及しつつあり、デジタルビデオレコーダ（以下、ＤＶＲと称す）のようなＡＶ機器において、パケット通信網を介してＡＶストリームを送信できる機能を搭載することが期待されている。しかし、家電機器に搭載されるホスト（ＣＰＵ等の処理エンジン）は、ＰＣの場合と比較して性能面で厳しい制約があり、ＡＶストリームのような広帯域のパケットを送信することが困難であるという課題が存在していた。
【０００３】
この課題を解決するため、例えば特許文献１には、パケットを備えるＤＶＲを発展させたものとして、ディジタル衛星放送を受信し、受信したＴＳパケットをデマルチプレクサにてＴＳパケットから分離されたＭＰＥＧ２ビデオをそれぞれ対応する複数のデコーダにて処理するとともに受信したＴＳパケットは、データ変換部に送られ、データ変換部は、当該ＴＳパケットに送信元ＩＰアドレス及び宛先ＩＰアドレスを含むヘッダを付加したイーサネット（登録商標）フレームを生成し、このイーサネット（登録商標）フレームをＤＶＲ装置の端子に接続されたイーサネット（登録商標）を介して別の受信装置に配信する技術が開示されている。
【特許文献１】特開２０００−１６５４３８号公報
【発明の開示】
【発明が解決しようとする課題】
【０００４】
しかしながら特許文献１に記載の従来の発明では、ＴＳパケットに付加されるＩＰアドレスは固定的に一つしかない為、例えば一つのＤＶＲから、複数の受信端末に対し、ＬＡＮを介して個別のＡＶストリームを送信することができないという課題を有する。
【課題を解決するための手段】
【０００５】
前記従来の課題を解決する為に、本願の第１の発明は、パケット通信網を介してパケット通信を行うストリーム送信装置であって、前記パケット通信網に送信する通信パケットに格納する映像および/または音声ストリームパケットであるＡＶストリームパケットを出力する映像処理部と、前記映像処理部から入力されたＡＶストリームパケットを格納した通信パケットを生成し、前記パケット通信網に送信するストリーム送信部とを備え、前記ストリーム送信部は、少なくとも一つの、ＡＶストリームパケットの識別情報と対応する通信パケットのパケットヘッダ情報の組み合わせからなる組み合わせ情報、を格納するテーブルを備え、前記映像処理部から入力したＡＶストリームパケットの識別情報が前記テーブルに格納された組み合わせ情報のＡＶストリームパケットの識別情報と合致する場合には、対応した通信パケットのパケットヘッダ情報を前記入力されたＡＶストリームパケットに付加することで通信パケットを生成して前記パケット通信網に送信し、一方、前記映像処理部から入力したＡＶストリームパケットの識別情報が前記テーブルに格納された組み合わせ情報のＡＶストリームパケットの識別情報と合致しない場合には前記ＡＶストリームパケットを破棄するように動作する、ことを特徴とするものである。
【発明の効果】
【０００６】
以上のように、本発明のストリーム送信装置によれば、ＡＶストリーム専用のプロトコル処理部を有する構成において、ＡＶストリームのヘッダ情報から動的に対応するＩＰパケットを生成し、送信することにより、ＣＰＵ負荷を増大させることなく、複数の端末に対し、個別のＡＶストリームを同時に送信する事が実現できる。
【発明を実施するための最良の形態】
【０００７】
以下本発明の実施の形態について、図面を参照しながら説明する。
【０００８】
（実施の形態１）
図１はパケット通信網を経由してＡＶストリームを格納したＩＰパケットを送信するストリーム送信対応ＤＶＲを用いたネットワーク構成の一例を示す図であり、ストリーム送信装置（ストリーム送信対応ＤＶＲ）１０１及びストリーム受信装置１０２〜１０４、パケット通信網１０５で構成される。ストリーム送信対応ＤＶＲ１０１はストリーム受信装置１０２〜１０４とパケット通信網１０５を介して接続されており、ストリーム受信装置１０２〜１０４に対し、ＩＰパケットを配信し、ストリーム受信装置１０２〜１０４は、ＩＰパケットに格納されているＭＰＥＧ２−ＴＳをデコード・映像表示する。
【０００９】
ここでストリーム送信対応ＤＶＲ１０１が送信するＩＰパケットの構成図の一例を図２に示す。ストリーム送信対応ＤＶＲ１０１が送信するＩＰパケットはＩＰヘッダ２０１、ＵＤＰヘッダ２０２及びＡＶストリームを格納されるペイロード２０３で構成される。本実施の形態では、ＡＶストリームとしてＭＰＥＧ２−ＴＳ（Ｍｏｖｉｎｇ  Ｐｉｃｔｕｒｅ  Ｅｘｐｅｒｔｓ  Ｇｒｏｕｐ−Ｔｒａｎｓｆｅｒ  Ｓｔｒｅａｍ）パケットを使用し、ペイロードには少なくとも１つのＭＰＥＧ２−ＴＳで構成されている。また、一つのＩＰパケットに格納されているＭＰＥＧ２−ＴＳは一つのコンテンツに従属しており、複数のコンテンツを伝送する場合、それぞれのコンテンツを構成するＭＰＥＧ２−ＴＳに対し、付加される送信元ＩＰアドレス、宛先ＩＰアドレス、送信元ＵＤＰポート番号、宛先ＵＤＰポート番号等のヘッダ情報が他のコンテンツのヘッダ情報と重複してストリーム送信対応ＤＶＲ１０１から送信されないよう運用される。ストリーム受信装置１０２〜１０４はこれらヘッダ情報を参照することで自分宛のコンテンツかを識別する。
【００１０】
図３は本発明の第一の実施の形態における、ストリーム送信対応ＤＶＲ１０１のシステム構成図を示す図であり、ストリーム送信対応ＤＶＲ１０１はストリーム送信手段３０１とホスト３０２と映像処理手段３０３と映像表示手段３０４と蓄積手段３０５で構成されている。ストリーム送信手段３０１はパケット通信網１０５と接続されており、ホスト３０２からホストバスを介して入力されるＩＰパケットをパケット通信網１０５に送信する。またストリーム送信手段３０１はパケット通信網１０５から受信したＩＰパケットをホストバスを介してホスト３０２に転送する。さらに、ストリーム送信手段３０１は、映像処理手段３０３から映像バスを介して入力されるＭＰＥＧ２−ＴＳに格納されている識別情報を解析し、解析結果に基づいて、予め設定されたＩＰヘッダ及びＵＤＰヘッダを付加してパケット通信網１０５に送信する。
【００１１】
ホスト３０２はストリーム送信手段３０１を介してＩＰパケットの送受信を行うと共に、ストリーム送信手段３０１及び映像処理手段３０３の制御を行う。映像処理手段３０３はホスト３０２からの指示に基づいて、蓄積手段３０５に格納されたＭＰＥＧ２−ＴＳを読み出してデコード処理を行い映像表示手段３０４に出力する、若しくは蓄積手段３０５に格納されたＭＰＥＧ２−ＴＳを読み出して映像処理手段３０３に転送する動作を行う。映像表示手段３０４は映像処理手段３０３からの映像データを表示し、蓄積手段は映像処理手段３０３からＭＰＥＧ２−ＴＳの書込み及び読み込み処理を行う。
【００１２】
ここでストリーム送信手段３０１が解析するＭＰＥＧ２−ＴＳの構成図の一例を図４に示す。ＭＰＥＧ２−ＴＳはＴＳヘッダ４０１とアダプテーション・フィールド４０２とペイロード４０３で構成される。本実施の形態でＭＰＥＧ２−ＴＳの識別に用いる識別情報はＴＳヘッダ内にあるＰＩＤ（Ｐａｃｋｅｔ  ＩＤ）４０４を用いる。
【００１３】
次に、ストリーム送信手段３０１が解析、抽出したＰＩＤを用いて、ＩＰパケットを生成する動作について図５を用いて説明する。図５はストリーム送信手段３０１が具備する、入力されるＰＩＤと付加ヘッダ情報を関連付ける為の対応表である。ＰＩＤ及び付加ヘッダ情報は予めホスト３０２から、ストリームの送信処理を行う前に設定される。付加ヘッダ情報は送信元ＩＰアドレス、宛先ＩＰアドレス、送信元ＵＤＰポート番号、宛先ＵＤＰポート番号で構成されるが、これに限るものではない。
【００１４】
ここで、ストリーム送信手段３０１が対応表を用いて、ＩＰパケットを生成する手段について具体例を説明する。例えばストリーム送信手段３０１が、０ｘ２７のＰＩＤのＭＰＥＧ−ＴＳを入力された場合には、送信元ＩＰアドレス「２２２．１２．１４８．１」、宛先ＩＰアドレス「１９２．１６８．０．２」のＩＰヘッダを付加し、送信元ＵＤＰポート番号「９０００」、宛先ＵＤＰポート番号「９０００」のＵＤＰポート番号を付加したＩＰパケットを生成する。このようにして、入力されたＭＰＥＧ２−ＴＳの識別情報であるＰＩＤに対応した、付加ヘッダ情報を対応表としてストリーム送信手段３０１が保持することで、入力されるＭＰＥＧ２−ＴＳ毎に、最適な付加ヘッダ情報を付加することが可能となる。
【００１５】
次に、以上の動作を実現する為のストリーム送信手段３０１の構成について図６を用いて説明する。ストリーム送信手段３０１はパケット通信手段（ＭＡＣ通信手段）６０１、ホストバスインターフェース６０２、ＡＶバスインターフェース手段６０３、通信パケットヘッダ付加手段６０４、送信バッファ６０５、制御手段６０６、ＡＶストリーム解析手段６０７、識別情報格納手段６０８で構成される。パケット通信手段６０１はＭＡＣ（Ｍｅｄｉａ  Ａｃｃｅｓｓ  Ｃｏｎｔｒｏｌ）層の通信処理を行い、パケット通信網１０５から受信されるＩＰパケットをホストバスインターフェース６０２に転送し、ホストバスインターフェース６０２及び通信パケットヘッダ付加手段６０４から入力されるＩＰパケットをパケット通信網１０５に送信する。ホストバスインターフェース６０２はホストバスを通じて、ホスト３０２との通信を行い、ホスト３０２から入力されるＩＰパケットをパケット通信手段６０１に転送し、逆にパケット通信手段６０１から入力されるＩＰパケットをホスト３０２に転送する。ＡＶバスインターフェース手段６０３は映像バスを介して、映像処理手段３０３から入力されたＭＰＥＧ２−ＴＳをＡＶストリーム解析手段６０７及び送信バッファ６０５に転送する。送信バッファ６０５はＡＶバスインターフェース手段６０３から入力されたＭＰＥＧ２−ＴＳを一時的に格納し、制御手段６０６からの指示に従って、通信パケットヘッダ付加手段６０４に出力する。ＡＶストリーム解析手段６０７はＡＶバスインターフェース手段６０３から入力されたＭＰＥＧ２−ＴＳを解析し、解析結果であるＰＩＤ値を制御手段６０６及び識別情報格納手段６０８に出力する。
【００１６】
識別情報格納手段６０８は、パケット通信網１０５のネットワーク効率及び送信先の機器の処理負荷を軽減する為に具備された機能である。入力されるＭＰＥＧ２−ＴＳ毎にＩＰヘッダ及びＵＤＰヘッダを付加すると、効率的な送信処理を行うことができない。例えばＭＰＥＧ２−ＴＳのサイズは１８８Ｂｙｔｅであるが、それに対し付加されるＩＰヘッダは２０Ｂｙｔｅで、ＵＤＰヘッダであれば８Ｂｙｔｅが付加される為、例えばＬＡＮで１つのパケットで伝送可能な最大サイズ１５００Ｂｙｔｅに付加されるＩＰヘッダ及びＵＤＰヘッダのケースと比較した場合に、一つのパケットに占めるＩＰヘッダ、ＵＤＰヘッダの割合が多くなり効率的なネットワーク帯域を使用できない。また、送信先の機器も一つのＭＰＥＧ２−ＴＳ毎にプロトコル受信処理を行う必要が発生し、ＣＰＵ負荷の上昇に繋がる。そこで、同じ機器に送信する複数のＭＰＥＧ２−ＴＳが連続して入力された場合に、それらのＭＰＥＧ２−ＴＳを一つのＩＰパケットに格納することでネットワーク帯域の効率を高めてストリーム送信する仕組みとして識別情報格納手段６０８を活用する。識別情報格納手段６０８にはＡＶストリーム解析手段６０７から入力されるＰＩＤ値を入力毎に上書き更新する。その際に、新しく入力されたＰＩＤ値が、前に入力されたＰＩＤ値と同じであるかを判定し、同じである場合には、入力されたＭＰＥＧ２−ＴＳが、一つ前に入力され、送信バッファ６０５に格納されているＭＰＥＧ２―ＴＳを同じ機器に送信するものであることを示す一致フラグを制御手段６０６に出力する。一方新しく入力されたＰＩＤ値が、前に入力されたＰＩＤ値と同じでない場合には不一致フラグを制御手段６０６に出力する。
【００１７】
制御手段６０６はＡＶストリーム解析手段６０７からＰＩＤ値を入力された際に、入力されたＰＩＤ値が保持する対応表に存在し、かつ識別情報格納手段６０８からのフラグが一致フラグであった場合には、送信バッファ６０５に格納されているＭＰＥＧ２−ＴＳと、新しく入力されたＭＰＥＧ２−ＴＳが同じ宛先のものと判断し、送信バッファ６０５に出力指示を出さずに新しく入力されたＭＰＥＧ２−ＴＳを送信バッファ６０５に格納する。
【００１８】
一方、入力されたＰＩＤ値が保持する対応表に存在し、かつ識別情報格納手段６０８からのフラグが不一致フラグであった場合には、送信バッファ６０５に格納されているＭＰＥＧ２−ＴＳと、新しく入力されたＭＰＥＧ２−ＴＳが違う宛先のものと判断し、対応する付加ヘッダ情報を通信パケットヘッダ付加手段６０４に通知し、送信バッファ６０５に出力指示を出した上で、新しく入力されたＭＰＥＧ２−ＴＳを送信バッファ６０５に格納する。
【００１９】
通信パケットヘッダ付加手段６０４は制御手段６０６から入力された付加ヘッダ情報に基づいて、ＩＰヘッダ及びＵＤＰヘッダを送信バッファ６０５から入力されるＭＰＥＧ２−ＴＳに付加したＩＰヘッダを作成し、パケット通信手段６０１に出力する。以上の構成により、蓄積手段３０５に蓄積されたＭＰＥＧ２−ＴＳをパケット通信網１０５に出力する際に、ホスト３０２を介さずに処理することで、ホスト３０２の負荷を抑制して実現することが可能となる。
【００２０】
このようにして、送信手段６０６は識別情報格納手段６０８を用いることで、同じ宛先のＭＰＥＧ２−ＴＳが連続して入力された場合には、それらを一つのＩＰパケットとして格納するように処理を行う。
【００２１】
以上のように構成されるストリーム送信手段３０１が、入力されたＭＰＥＧ２−ＴＳを、パケット通信網１０５を介してパケット通信網１０５のＩＰパケットを送信する場合の動作の一例について図７を用いて説明する。ストリーム送信手段３０１はまず、ＭＰＥＧ２−ＴＳを入力され（Ｓ７０１）、入力されたＭＰＥＧ２−ＴＳのＰＩＤが管理テーブル（対応表）に登録されているＰＩＤと一致するか判定を行う（Ｓ７０２）。一致しない場合には入力されたＭＰＥＧ２−ＴＳを破棄して、ホスト３０２に通知し（Ｓ７０３）、終了する（Ｓ７０８）。一方登録されているＰＩＤと一致した場合には、送信バッファ６０５に蓄積されているＭＰＥＧ２−ＴＳのＰＩＤ値と、新しく入力されたＭＰＥＧ２−ＴＳのＰＩＤ値が一致するかを判定する（Ｓ７０４）。一致していない場合には、送信先が違うＭＰＥＧ２−ＴＳと判断し、送信バッファ６０５に蓄積されているＭＰＥＧ２−ＴＳに対応するヘッダ情報を付加してパケット通信網１０５に送信し（Ｓ７０５）、新しく入力されたＭＰＥＧ２−ＴＳを送信バッファ６０５に蓄積して(Ｓ７０６)終了する（Ｓ７０８）。一方Ｓ７０４において一致する場合には送信先が同じＭＰＥＧ２−ＴＳと判断し、送信バッファ６０５に蓄積されているＭＰＥＧ２−ＴＳの送信処理を行わずに、引き続き新しく入力されたＭＰＥＧ２−ＴＳを送信バッファ６０５に蓄積し（Ｓ７０７）、終了する（Ｓ７０８）。
【００２２】
以上に示すように、従来の発明では、一つのＤＶＲから複数の受信装置に対し、ＬＡＮを介して、ＡＶストリームを送信することができないという課題があったが、本発明によれば、本実施の形態に一例として示すストリーム送信手段を導入することにより、複数の機器に対して送信側の機器のＣＰＵ負荷を抑制しつつ、ＡＶストリームを送信することが可能となる。
【００２３】
さらに、一つのＭＰＥＧ２−ＴＳに対しＩＰヘッダ及びＵＤＰヘッダを付加したＩＰパケットを生成するのではなく、同じ宛先の複数のＭＰＥＧ２−ＴＳを一つのＩＰパケットに格納することにより、ネットワーク帯域の負荷を抑制しつつ、送信することが可能となる。
【産業上の利用可能性】
【００２４】
本発明のストリーム送信装置はＡＶストリームのみならずオーディオストリームや、ネットワークゲームのデータ等の、広帯域でありリアルタイム性が要求されるパケット送信が必要とされる機器に適用できる。
【図面の簡単な説明】
【００２５】
【図１】ストリーム送信装置を用いてストリームを送信する場合のネットワーク構成図
【図２】ＡＶストリームを格納したＩＰパケットの構成図
【図３】本発明の第一の実施の形態におけるストリーム送信装置の構成図
【図４】本発明の第一の実施の形態におけるＭＰＥＧ２−ＴＳの構成例を示す図
【図５】ストリーム送信手段が保持する、ＰＩＤ／付加ヘッダ情報の対応表の一例を示す図
【図６】本発明の第一の実施の形態におけるストリーム送信手段の構成図
【図７】本発明の第一の実施の形態におけるストリーム送信のＩＰパケット送信時における処理フローを示す図
【符号の説明】
【００２６】
１０１    ストリーム送信装置
１０２    ストリーム受信装置
１０３    ストリーム受信装置
１０４    ストリーム受信装置
１０５    パケット通信網
２０１    ＩＰヘッダ
２０２    ＵＤＰヘッダ
２０３    ＩＰパケットのペイロード
３０１    ストリーム送信手段
３０２    ホスト
３０３    映像処理手段
３０４    映像表示手段
３０５    蓄積手段
４０１    ＴＳヘッダ
４０２    アダプテーション・フィールド
４０３    ＴＳペイロード
４０４    ＰＩＤ
６０１    パケット通信手段
６０２    ホストバスインターフェース
６０３    ＡＶバスインターフェース手段
６０４    通信パケットヘッダ付加手段
６０５    送信バッファ
６０６    制御手段
６０７    ＡＶストリーム解析手段
６０８    識別情報格納手段
【図１】
2009296027.tif 000003
【図２】
2009296027.tif 000004
【図３】
2009296027.tif 000005
【図４】
2009296027.tif 000006
【図５】
2009296027.tif 000007
【図６】
2009296027.tif 000008
【図７】
2009296027.tif 000009